(57)【特許請求の範囲】
【請求項１】
外部よりのスイッチ操作により移動鏡を固定ないし可動化する一時固定機構を備えたマイケルソン干渉計であって、
前記一時固定機構は、前記移動鏡のスライド部の側面の略一面にわたり設けられた当接面と、
前記移動鏡スライド部の当接面と略対向するように設けられ、該移動鏡スライド部の当接面を押圧ないし該当接面への押圧の解除を行うための押圧部材を含む一時固定手段と、
を備えたことを特徴とするマイケルソン干渉計。
【請求項２】
請求項１記載のマイケルソン干渉計において、前記移動鏡スライド部の当接面、及び該移動鏡スライド部の当接面を押圧する前記押圧部材の端部は、当接時、該移動鏡スライド部の当接面と該押圧部材間の摩擦力を増大させる材質で構成されており、
前記一時固定機構は、前記移動鏡スライド部の当接面と押圧部材間の摩擦力で、前記移動鏡をしっかり一時固定することを特徴とするマイケルソン干渉計。
【請求項３】
請求項１又は２記載のマイケルソン干渉計において、前記一時固定手段は、さらに駆動部材と、駆動手段と、を備え、
前記駆動部材は、その長手方向を前記移動鏡スライド部の当接面の形成方向に向けて配置され、該駆動部材の長手方向の片側が前記駆動手段に支持され、また該駆動部材の長手方向の反対側がその長手方向のみに移動自在に支持され、
前記駆動手段は、前記駆動部材の長手方向の片側を支持し、該駆動部材をその長手方向のみに移動させ、
前記押圧部材は、その略中間部が装置本体に対して回動自在に軸支され、前記移動鏡スライド部の当接面を押圧する側とは反対側が、前記駆動部材の略中間部に設けられ、
前記外部よりのスイッチ操作により、前記駆動手段が前記駆動部材をその長手方向の両側が支持された状態で該長手方向に移動すると、該駆動部材が前記押圧部材を前記装置本体に対して回動させ、前記移動鏡スライド部の当接面に対して該押圧部材の端部を当接させる、又は該移動鏡スライド部の当接面より該押圧部材の端部を離隔させることを特徴とするマイケルソン干渉計。
【発明の詳細な説明】
【０００１】
【産業上の利用分野】
本発明はマイケルソン干渉計、特に、その移動鏡の固定機構の改良に関する。
【０００２】
【従来の技術】
各種化学分析などに用いられる光学式測定装置は一般に高度な精密測定装置であり、搬送時の振動が測定装置に与える影響を無視することはできない。
すなわち、光学式測定装置には、マイケルソン干渉計を構成するための移動鏡が用いられており、しかも該移動鏡は高精度で滑らかなベアリングにより移動自在に支持されている。
【０００３】
そこで、従来、装置搬送時の振動により干渉計移動鏡の不要な振動を誘発するのを防ぐため、移動鏡を装置本体の所定固定位置に固定していた。
すなわち、干渉計の移動鏡を装置本体に固定するため、まず、作業者は本体ケースを開く。
そして、干渉計の走査用モータを駆動することにより移動鏡を微小送りさせて装置本体の所定固定位置と対向させ、さらに該所定固定位置にネジなどで移動鏡を固定し、装置搬送時の振動から干渉計の移動鏡を保護していた。
【０００４】
【発明が解決しようとする課題】
しかしながら、従来の移動鏡固定方法では、以下に示す問題点があった。
すなわち、従来の移動鏡固定方法では、例えば測定装置の設置時には本体ケースを開き、ネジなどを取り除かなければならない。このため、本体ケースを開けるとその装置内にほこりなどが侵入してしまい、光学系の汚染あるいは可動部の動作不良などを生じてしまうのである。
また、従来の移動鏡固定方法では、移動鏡を装置本体の所定固定位置と対向させなければならない。このため、干渉計の走査用モータを駆動することにより移動鏡を装置本体の所定固定位置にまで送り移動すると、この走査用モータの送り速度は比較的微小であるために時間がかかってしまうのである。
【０００５】
さらに、従来の移動鏡固定方法では、移動鏡のスライド部をネジなどで所定固定位置に固定しなければならない。このため、作業者への負担が極めて大きいという問題点があった。
本発明は、前記従来技術の課題に鑑みなされたものであり、その目的は、移動鏡の固定ないし可動化が、良好に行えるマイケルソン干渉計を提供することにある。
【０００６】
【課題を解決するための手段】
前記目的を達成するために本発明に係るマイケルソン干渉計は、外部よりのスイッチ操作により移動鏡を固定ないし可動化する一時固定機構を備える。前記一時固定機構は、前記移動鏡のスライド部の当接面と、一時固定手段と、を備えたことを特徴とする。
ここで、前記当接面は、前記移動鏡のスライド部の側面の略一面にわたり設けられる。
また前記一時固定手段は、前記移動鏡スライド部の当接面と略対向するように設けられ、該移動鏡スライド部の当接面を押圧ないし該当接面への押圧を解除するための押圧部材を含む。
なお、本発明において、前記移動鏡スライド部の当接面、及び該移動鏡スライド部の当接面を押圧する前記押圧部材の端部は、当接時、該移動鏡スライド部の当接面と該押圧部材間の摩擦力を増大させる材質で構成されている。前記一時固定機構は、前記移動鏡スライド部の当接面と押圧部材間の摩擦力で、前記移動鏡をしっかり一時固定することが好適である。
また本発明において、前記一時固定手段は、さらに駆動部材と、駆動手段と、を備える。
前記駆動部材は、その長手方向を前記移動鏡のスライド部の当接面の形成方向に向けて配置され、該駆動部材の長手方向の片側が前記駆動手段に支持され、また該駆動部材の長手方向の反対側が該長手方向のみに移動自在に支持される。前記駆動手段は、前記駆動部材の長手方向の片側を支持し、該駆動部材をその長手方向のみに移動させる。前記押圧部材は、その略中間部が装置本体に対して回動自在に軸支され、前記移動鏡スライド部の当接面を押圧する側とは反対側が、前記駆動部材の略中間部に設けられる。そして、前記外部よりのスイッチ操作により、前記駆動手段が前記駆動部材をその長手方向の両側が支持された状態で該長手方向に移動すると、該駆動部材が前記押圧部材を前記装置本体に対して回動させ、前記移動鏡スライド部の当接面に対して該押圧部材の端部を当接させる、又は該移動鏡スライド部の当接面より該押圧部材の端部を離隔させることが好適である。
【０００７】
【作用】
本発明に係るマイケルソン干渉計は、前述したように移動鏡の一時固定機構を有するので、その一時固定機構を外部からスイッチ操作することにより、移動鏡を容易に固定ないし可動化する。
しかも、移動鏡のスライド部側面には、略一面にわたり設けられた当接面を有し、該当接面の任意位置を一時固定手段により押圧ないし解除することにより、移動鏡を迅速に固定ないし可動化する。
【０００８】
【実施例】
以下、図面に基づき本発明の好適な実施例を説明する。
図１には、本発明の一実施例に係るマイケルソン干渉計の移動鏡固定機構１０が示されている。
本実施例において、測定装置本体には、移動鏡１２のスライド部１２ａがベアリング（図示せず）により矢印〓方向に移動自在に支持されている。そして、該スライド部側面１２ｂには、当接面１２ｃが略一面にわたり設けられている。また、装置本体には、一時固定手段１４が前記当接面１２ｃと略対向するように設けられている。
【０００９】
前記一時固定手段１４は、装置表面に表出し、操作者が外部より固定／可動化操作の可能な操作スイッチ１６と、前記操作スイッチ１６の固定／可動化信号を受信する制御部１８と、前記制御部１８からの固定／可動化信号により当接面を押圧ないし解除可能な一時固定部２０と、を含む。
前記一時固定部２０は、前記制御部１８からの固定／可動化信号を受信するラッチソレノイド２２と、前記ラッチソレノイド２２と一体的に形成された駆動部材２４と、前記当接面１２ｃを直接押圧ないし解除可能な押圧部材２６と、を含む。
【００１０】
本実施例において、前記ラッチソレノイド２２は、制御部１８からの指示により矢印〓方向に伸縮し、該ラッチソレノイド２２の伸縮は、突出位置（Ａ）ないし引込位置（Ｂ）にてそれぞれされる。
また、本体には、前記押圧部材２６が支持ピン２８を介して矢印ＩＩ方向に回動自在に支持されている。さらに、該押圧部材２６の一端部２６ａが連結ピン３０を介して前記駆動部材２４に連結されている。
すなわち、前記一時固定部２０は、ラッチソレノイド２２を矢印Ａ方向に駆動すると、該ラッチソレノイド２２の駆動と共に駆動部材２４が矢印Ａ方向に駆動する。ここで、該駆動部材２４の駆動と連動して押圧部材２６の一端部２６ａが押し上げられると、他端部２２ｂが反対に押し下げられて当接面１２ｃに当接する。さらに、ラッチソレノイド２２を矢印Ａ方向に駆動し、他端部２６ｂが当接面をしっかりと押圧する頃合いになると、該ラッチソレノイド２２の矢印Ａ方向への駆動は突出位置（Ａ）にてロックされて、該他端部２６ｂの当接面１２ｃへの押圧が一定に保たれるれるように構成されている。
【００１１】
また、前記一時固定部２０は、この状態でラッチソレノイド２２を矢印Ｂ方向に駆動すると、該ラッチソレノイド２２の駆動と共に駆動部材２４が矢印Ｂ方向に駆動する。ここで、該駆動部材２４の駆動と連動して押圧部材２６の一端部２６ａが押し下げられると、他端部２６ｂが反対に押し上げられて当接面１２ｃから離隔する。さらに、ラッチソレノイド２２を矢印Ｂ方向に駆動し、該ラッチソレノイド２２の矢印Ｂ方向への駆動が引込位置（Ｂ）にてロックされると、他端部２６ｂの当接面への押圧が確実に解除されるように構成されている。
【００１２】
本実施例に係るマイケルソン干渉計の移動鏡固定機構１０は、概略以上のように構成され、以下その作用を詳細に説明する。
まず、干渉計が動作可能な状態で、作業者が外部より操作スイッチ１６を固定にすると、まず制御部１８に指示を与え、ラッチソレノイド２２を矢印Ａ方向に駆動する。
そして、該ラッチソレノイド２２の駆動と共に、駆動部材２４が矢印Ａ方向に駆動すると、これに連動して押圧部材が矢印Ｃ方向に回動し、該押圧部材２６の他端部２６ｂが当接面１２ｃに当接するようになり、他端部２６ｂが当接面１２ｃをしっかりと押圧する頃合いになると、該ラッチソレノイド２２の矢印Ａ方向への駆動は突出位置（Ａ）にてロックされて、しっかりと移動鏡１２が固定する。
【００１３】
次に、この状態で作業者が外部より操作スイッチ１６を可動化にすると、まず制御部１８に指示を与え、ラッチソレノイド２２を突出位置（Ａ）から矢印Ｂ方向に駆動する。
そして、該ラッチソレノイド２２の駆動と共に、駆動部材２４が矢印Ｂ方向に駆動すると、これに連動して押圧部材２６が矢印Ｄ方向に回動し、該押圧部材２６の他端部２６ｂが当接面１２ｃより離隔するようになり、ラッチソレノイド２２の矢印Ｂ方向への駆動が引込位置（Ｂ）にてロックされると、確実に移動鏡が可動化する。
【００１４】
以上のように本実施例に係るマイケルソン干渉計においては、操作スイッチ１６を作業者が外部より操作することにより、移動鏡スライド部１２ｂの当接面１２ｃを固定ないし可動化することとしたので、従来のように本体ケースを開けることなく、移動鏡１２の固定ないし可動化を極めて容易に行うことができる。
しかも、移動鏡１２のスライド部側面１２ｂには、略一面にわたり設けられた当接面１２ｃを有し、該当接面１２ｃの任意位置を押圧部材２６により押圧ないし解除することとしたので、従来のように移動鏡１２を所定固定位置にまで移動させることなく、移動鏡１２の固定ないし可動化を行うことができる。
従って、従来においては、干渉計の移動鏡を固定ないし可動化するのに、（本体ケースを開ける）＋（移動鏡を所定固定位置と対向させる）＋（移動鏡をネジなどで所定固定位置に固定する）＋（本体ケースを閉める）時間を要するのに対し、本実施例においては、実質的にラッチソレノイド２２の駆動に要する時間のみであり、従来の移動鏡固定方法に比較し、大幅に作業時間を短縮することができる。
【００１５】
このため、例えば本実施例に係るマイケルソン干渉計を航空機に搭載すれば、特に振動の激しい離陸時ないし着陸時を除き、飛行中においても装置の使用が可能となる。
また、本実施例においては、本体ケースを開けることを要しないので、本体ケースを開けることにより生じた従来の問題点を確実に解消することができる。
また、本実施例においては、駆動部材２４の駆動手段として、制御部１８からの制御信号に対して応答性に優れたラッチソレノイド２２を用いることとしたので、移動鏡１２の固定ないし可動化に要する時間をさらに短縮することができる。
さらに、本実施例において、一時固定部２０を、比較的精度の要求されず、簡易な当接面１２ｃ、駆動部材２４、及び押圧部材２６より構成することで、従来に比較し安価で、しかも容易に移動鏡１２の固定ないし可動化が行える。
そして、本実施例においては、当接面１２ｃおよび他端部２６ｂの両者には、例えば弾性材などを設け、当接面１２ｃと他端部２６ｂとの間に生じる摩擦力を増大させることが好適であり、これにより一時固定機構１０は、比較的小さい押圧力でも移動鏡を固定することが可能となる。
【００１６】
また、本実施例においては、押圧部材２６による移動鏡１２固定時に該駆動部材２４の先端側にのみ負荷がかかり、駆動部材２４が破損するのを防止するため、例えば図１に示すように、装置本体に設けられたピン３２により駆動部材２４の先端に形成された切欠部２４ａを支持させることにより、駆動部材２４を両端支持構造とすることが好適である。
【００１７】
なお、本発明は上記実施例の構成に限定されるものではなく、発明の要旨の範囲内で種々の変形が可能である。
例えば、本実施例では、一の移動鏡に対して一組の一時固定機構１０を設ける構成としたが、複数組の一時固定機構を設けることが可能である。
また、本実施例においては、当接面１２ｃおよび他端部２６ｂの両者には、例えば弾性材などを設け、当接面１２ｃと他端部２６ｂとの間に生じる摩擦力を増大させることが好適であり、これにより一時固定機構は、比較的小さい押圧力でも移動鏡を固定することが可能となる。
また、移動鏡１２の固定ないし可動化を操作スイッチ１６と連動して行う構成としたが、別個にスイッチを設けることが可能である。さらに、操作スイッチ１６と連動して制御部１８は、移動鏡１２を固定ないし可動化する構成としたが、他の初期化動作、例えば移動鏡可動化時に該移動鏡１２を所望位置に移動させることなどが可能である。
【００１８】
【発明の効果】
以上説明したように本発明に係るマイケルソン干渉計によれば、一時固定機構を外部よりスイッチ操作することにより、移動鏡を固定ないし可動化することとしたので、従来のように本体ケースを開けることなく、移動鏡の固定ないし可動化を極めて容易に行うことができる。
しかも、移動鏡のスライド部側面には、略一面にわたり設けられた当接面を有し、該当接面の任意位置を押圧手段により押圧ないし解除することにより、移動鏡を迅速に固定ないし可動化することとしたので、従来のように移動鏡を所定固定位置にまで移動させることなく、移動鏡の固定ないし可動化を極めて迅速に行うことができる。
【図面の簡単な説明】
【図１】本発明の一実施例に係るマイケルソン干渉計の移動鏡固定機構の説明図である。
【符号の説明】
１０  一時固定機構
１２  移動鏡
１２ａ  移動鏡スライド部
１２ｂ  移動鏡スライド部側面
１２ｃ  当接面
１４  一時固定手段
１６  操作スイッチ
２０  一時固定部
２２  ラッチソレノイド
２４  駆動部材
２６  押圧部材
２６ｂ  押圧部材他端部
【図１】
0003588496.tif 000002